(57)【要約】【課題】地球温暖化を防ぐため、京都議定書がつくられ、二酸化炭素など温室効果ガスの排出削減を義務付けられている。いかにして温暖化を最小限に抑えることができるかが全世界の課題である。【解決手段】本案は引力エネルギーを利用し、水と空気と重量をもって、人工的に、浮力エネルギーを発生させ、そのエネルギーを電気エネルギーに変換するもので、新しい動力源の開発である。これからは、地球上の自然エネルギーを利用することにより、公害をなくし、自然環境に優しい、地球温暖の防止に役立つもので引力エネルギーは、無限であり、一日２４時間活用できる。【選択図】図７
2012107604.tif 000002
【特許請求の範囲】
【請求項１】
同じ体積の容器の片方に水を入れ、別の容器を逆にして、空気を入れて、水面に浮かべ、水の入っている容器を、その上に乗せると、双方の容器は水面で浮力と重力との平行合力の状態をつくり、この状態を利用し、水（物体）を入れた容器を引き上げたり、下したり上下運動をさせる過程で、外力の力で物体を引き上げると水中に沈んでいた容器は浮力によって、浮き上がり、このとき、浮力が発生し、このエネルギーを断続的に人工的に発生させ、浮力エネルギーを、電気エネルギーに変換するものである。
【請求項２】
梃子の原理を応用し、小さな力で、大きな重量物を動かすと同じように、シーソーを使って、小さな外力で大きな浮力エネルギーを発生させる人工的エネルギーの装置である。
【発明の詳細な説明】
【技術分野】
【０００１】物体には、落下する重力エネルギーがあり、逆に物体を持ち上げる浮力エネルギーを本案は人工的に発生させ、その自然のエネルギーを電気エネルギーに変換させる装置である。【０００２】本案は、シーソーを動かす小さな外力を必要とするが、外力以上の浮力を発生させ、余剰のエネルギーを活用するものである。
【背景技術】
【０００３】現在、水のエネルギーを活用しているものは、水の重力を利用した水力発電、波の力による波力発電、みち潮と引き潮による潮汐発電等があるも、本案のように水の浮力エネルギーを用えて発電する装置は少ない。【０００４】本案の水の性質を利用し、浮力のエネルギーを発生させるには種々多様の方法があるも、根本的にエネルギーを発生させる工程構造が異う。いかにして、余分なエネルギーを抽出できるかが問題である。【０００５】例えば浮力のエネルギーを発生させるには一つの方法として、水面を上下運動させるには、水槽を作って、その中に水を入れ増やしたり減らしたりすることにより、水面を上げたり下げたりすることができる。又、同じ水量で水槽の中に、物体を入れたり、除いたりして、水位の高低差により水面の上下運動を起すこともできるが、いずれも余分のエネルギーは発生させることはできない。【０００６】物体を水中に浮かせた状態で、物体の上下運動を起すには大小のエネルギーは別として、自然の力か、人工的な力か、いずれかの外力が必要である。
したがって、水面に浮かんでいる浮きに回転する装置があっても、浮き全体が自ら水面を上昇させたり、水面を降下させたりするエネルギーはない。ただ浮き全体が水に浮かんでいる状態に過ぎない。【０００７】本案は気体を水に沈めたり、浮かせたり、人工的に連続して行なう装置の過程の中で、空気の入った容器を沈める力と、浮き上がる力を同じくすると、沈めた力を取り除くと、浮力だけ残り、浮力のエネルギーを発生させることができる。
【先行技術文献】
【特許文献】
【０００８】
【特許文献１】特許／登録、登録記事  特許第４２０１２６２号
【発明の概要】
【０００９】
【発明が解決しようとする課題】
【００１０】本案は浮力エネルギーを抽出し、電気エネルギーに変換するものであるが、特許文献１との相違点を記す。【００１１】特許文献１は〔０００６〕に述べた通り、浮きに発電装置を備いていても、自ら水面の高低差を生みだすことが明示されていないので、水面の高低差を生みだすためには、外力である自然エネルギーの波の力が必要で、波力によって水面の上下運動を起す構造と想定される。
したがって、水面に浮かんでいる浮きは単なる部品に過ぎず、海面を上げたり、下げたりする力は、波のエネルギーであり、波力発電と言ってもよいかと思料される。【００１２】これに対し、本案は〔０００７〕で述べた様に浮力エネルギーを直接生みだし、電気エネルギーに変換するもので、人工的な小さな力が必要ではあるが、それ以上のエネルギーを発生させ、浮力の本来のエネルギーを活用するので、まったく特許文献１とは性能構造とも違う。又、本案は波力は不要で、水面は平穏の状態の方が効率的である。
【課題を解決するための手段】
【００１３】生活に欠かせない電力が、今、世界的に不足しており、エネルギーの開発が急務とされている。本案は公害のない自然エネルギーに着目し、一つは太陽系の熱エネルギーともう一つは地球と月との引力エネルギーとに大別されると思うが、熱エネルギーは夜間は発生しないので、効率的でない。引力は１日２４時間発生しており、引力は重力と浮力が平行力の合力であるので、この重力と浮力と空気のエネルギーを使って人工的に浮力のエネルギーを発生させ、浮力本来のエネルギーを電気エネルギーに変換するものである。
【発明の効果】
【００１４】現在、電力エネルギーとして、水力発電があるが水力発電は、ダム建設等莫大な費用が必要で、又渇水期には水不足の不安がある。風力発電は風がないと発電できず、太陽光発電は、夜間は発電ができない。又、火力発電は常時燃料費用が必要で経済的でない。【００１５】本案はまず、公害のないエネルギーと、燃費不要のエネルギーと、１日２４時間稼動できるエネルギーを発生させることができる浮力エネルギーを開発したもので、浮力発電は利点が大きく、効果も大であり、公害と地球温暖化を防止するのに役立つエネルギーである。
【図面の簡単な説明】
【００１６】
【図１】（１）容器に水を入れた図  （２）水を入れた容器と同じ容器を逆にして空気を入れて、水中に沈め、その上に水を入れた容器を乗せた図
【図２】（１）水面に空気を入れた容器を逆にして浮かせた図  （２）上記（１）図の容器の上に錘を乗せた図
【図３】シーソーと錘と、空気の入った容器の簡単な関連断面図
【図４】穴のあいた同じ重さの錘を台に乗せた玉と、吊した玉の力関係図
【図５】支持柱に台の部品を取り付けた図
【図６】Ａ、Ｂの同じ重さの錘を吊し、双方の錘が垂直になった側面図
【図７】本案の全体図（側面図）
【図８】陸上に本体を設置する場合の略図（番号１４の水槽を設ける）
【図９】（１）海上に本体を設置する場合の略図（番号１５の浮き船を設ける）  （２）浮き船（番号１５）の斜図
【発明を実施するための形態】
【００１７】本案は浮力のエネルギーの開発であり、「浮力は流体内に一部、又は全体をつけている物体はその流体から、その物体が排除した流体の重さに等しい上向きの浮力を受ける」法則があり、浮力のエネルギーを発生させるには、第一に物体（気体）を水に浮かべて、初めて物体に浮力が発生する。
【００１８】然し、物体を浮かべただけでは、浮力のエネルギーを発生させ、利用しているものの、只物体を沈まないように浮かべているに過ぎないので、浮かべた物体には、自らのエネルギーは発生しない。
【００１９】したがって、浮かべた物体（気体）の浮力のエネルギーを外力で人工的に物体を沈めたり、浮かせたり繰り返し行なうことにより物体に上下運動をさせ、浮く時に自然の浮力を発生させる方法が必要である。
【００２０】そこで、浮力のエネルギーがどれだけの力があるのか、例えば何万トンの大型客船が浮かんでいても、あまりにも大き過ぎて、想像がつかないが、水４℃の場合、１ｇ／ｃｍ３の重さがあり浮力は水の重さと同じエネルギーがあり、水中の空気の体積が大きければ大きい程、大きなエネルギーを生みだすことができる。
【００２１】図１の（１）に示すように、地上で、例えば５０ｋｇ．の容器に入った水の重さと、同じ容器を水面に空気を入れ、逆さにして、その上に５０ｋｇ．の水の入った容器を乗せた場合、番号２の水の重さと、番号４の空気の入った容器の浮力は、重力のエネルギーと同じで、双方の器は沈みもしないし、浮きもしない。これは、物体を浮力で持ち上げている状態と同じである。
【００２２】又、水の替りに比重が重い物体であれば、重さが同じであれば、物体は小さくてすむ。
【００２３】次に、空気の入った容器を沈めたり、浮かせたり、上下運動を起すには、シーソーの原理を用えて、図３のように、ドーナツ型の輪の錘を両腕に取り付け、回転させると、錘の下に設けた空気の入った容器をシーソーが回転させることによって、容器を沈めたり、浮かせたり、上下運動をさせることができる。
【００２４】シーソーを回転させるには、小さな外力が必要であるも、回転させる力より、浮力のエネルギーが大きいので、余分のエネルギーを発生させることがきる。
【００２５】ここで、図３の構造略図はシーソーを回転させる時、錘ＡとＢとも同じ重さであっても、Ａの錘は空気の入った容器を沈める力を必要とするので、図４に示すように、同じ重さの穴のあいた錘を台の上に乗せ、錘と同じ重さの錘を糸でつないで吊した時、錘は矢印の方向に下にエネルギーが働き、これと同じ作用を利用し、図５の番号１０の台を設置する。
【００２６】尚、図６に示すように、シーソーを回転させ、吊したＡとＢの錘が垂直になった時、一瞬、ＡとＢの錘は、各々、別々の単独の重さの錘となり、錘の全重力が下向きに働き、空気の入った容器を沈め、又、シーソーが回転すると双方の錘は一元の状態に戻る。
【００２７】本案の設置場所は、地上と海上により異なるので、地上に設置する場合は、図８のように、プールのような大きな水槽の中に設置し、海上の場合は、底の平らな浮き船を作って図９のように船体の中央に本体を設置することにより、海上と陸上の別なく、浮力発電を、どこにも設置することができ、又、１日２４時間稼動することと、燃費不要の地球環境に優しいエネルギーの開発である。
【産業上の利用可能性】
【符号の説明】
【００２８】  １    水の入っている容器
２    水
３    空気の入っている容器
４    空気
５    錘
６    シーソーの回転主軸
７    シーソーの腕
８    錘を吊り下げる輪
９    始動モーター
１０    台
１１    調節器
１２    発電機
１３    支持柱
１４    水槽
１５    浮き船
【図１】
2012107604.tif 000003
【図２】
2012107604.tif 000004
【図３】
2012107604.tif 000005
【図４】
2012107604.tif 000006
【図５】
2012107604.tif 000007
【図６】
2012107604.tif 000008
【図７】
2012107604.tif 000009
【図８】
2012107604.tif 000010
【図９】
2012107604.tif 000011